【事件の表示】
　特願２００３−　７６２７７「液晶表示装置」拒絶査定不服審判事件〔平成１６年　１月　８日出願公開、特開２００４−　　４６２９〕について、次のとおり審決する。
【結　論】
　本件審判の請求は、成り立たない。
【理　由】
第１　手続の経緯
　本願は、平成１４年３月２５日にされた出願（特願２００２−８４２２５号）に基づく優先権を主張して平成１５年３月１９日にされた特許出願（特願２００３−７６２７７号）であって、平成１７年４月５日付け（発送日：同年４月１２日）で拒絶査定がなされ、これに対して、同年５月１２日に拒絶査定不服審判請求がなされるとともに、同年６月１０日付けで手続補正がなされたところ、当審において、平成２０年１月１５日付け（発送日：同年１月２２日）で拒絶の理由（以下「当審拒絶理由」という。）を通知し、これに対して平成２０年３月２１日付けで意見書が提出されるとともに、同日付けで手続補正がなされたものである。
　
第２　本願発明
　本願の請求項１ないし４に係る発明は、平成１６年１０月１日付け、平成１７年６月１０日付け及び平成２０年３月２１日付けの手続補正書により補正された明細書及び図面の記載からみて、その特許請求の範囲の請求項１ないし６に記載された事項により特定されるのとおりのものと認められるところ、本願の請求項１に係る発明（以下「本願発明」という。）は次のとおりである。
　
「【請求項１】
　複数のメモリブロックを含む少なくとも一つのルックアップテーブルを備え、
　各メモリブロックは複数の階調電圧値を格納するようになっており、各階調電圧値は、液晶ディスプレイに印加されて該液晶ディスプレイを前階調から後階調に変化させるようになっており、上記各階調電圧値は、局所座標系で表される空間において一対の前階調値と後階調値に対応し、
　更に、上記液晶ディスプレイに印加されて上記液晶ディスプレイを現在表示されている前階調から所望の後階調に変化させるように階調電圧値を補間する印加階調値取得手段を備え、
　上記印加階調値取得手段は、上記後階調・上記前階調・付加的条件の３つを軸とする局所座標系において、現在表示されている前階調値及び所望の後階調値に近い階調電圧値を含む少なくとも一つのルックアップテーブルにおけるメモリブロックを用い、１次式を使用した階調電圧値の補間により印加階調値を決定するものであり、
　上記局所座標系で表される空間は、上記ルックアップテーブルに格納済の後階調値、前階調値、および付加的条件値の組み合わせを頂点とする４個の頂点からなる領域に分割され、
　上記印加階調値取得手段は、上記分割領域において上記補間を行うことを特徴とする液晶表示装置。」
　
第３　引用例記載の発明
　当審拒絶理由で引用した本願の優先日前に頒布された刊行物である特開２００２−８２６５７号公報（以下「引用例１」という。公開日：平成１４年３月２２日。）には、図面とともに、次の事項が記載されている。
　
（１）「【０００３】しかし、従来の液晶ディスプレイは、動画を表示した場合、残像現象が生じ、画質を劣化させてしまう。
【０００４】液晶ディスプレイにおける、このような動画表示時の画質改善方法として、アクティブマトリクス基板と対向電極基板との間に液晶を挟持した表示パネルと、その表示パネルの駆動回路と、順次入力される映像信号を一時記憶し１フレーム前の映像信号を出力するフレームメモリ手段と、前記順次入力される映像信号と前記１フレーム前の映像信号を入力し、ルックアップテーブルを参照し、表示パネルのヒステリシスに基づく階調ずれを解消するように液晶駆動信号を補正して出力する映像信号変換手段を有する液晶表示装置が、特開平１０−３９８３７号公報に開示されている。
【０００５】【発明が解決しようとする課題】上記従来技術では、表示パネルのヒステリシスに基づく階調ずれを解消するために映像信号の階調レベルより大きい階調レベルの表示を行わせる（以下、オーバーシュート）させているが、表示パネル自身にヒステリシスに基づく階調ずれが生じるという特性がない場合、同従来技術の第４図に記載の通りオーバーシュートさせる必要はないため、表示パネルの応答遅延による輝度の不足や過多を補正することができない。
【０００６】また、上記従来技術では、映像信号変換手段は各フレームの画素毎にルックアップテーブルにアクセスしなければならないため、表示画面が大型化するにつれ、または高解像度化するにつれ、ルックアップテーブルの情報量が大きくなると共に、１フレーム分の映像情報を変換するための時間が長くなり、結果として表示装置の応答速度の高速化を達成することができない。例えば256階調表示を行う場合には、256×255＝65280通りについて補正値を求め、8ビットのルックアップテーブルの場合を仮定すると、256×255×8＝510kビットのメモリが必要となり、液晶パネルの1フレームが1280×1024＝1587.2K個のピクセル、Ｒｅｄ，Ｇｒｅｅｎ，Ｂｌｕｅの３画素で１ピクセルを構成するため4761.6ｋ個の各画素毎に、言い換えれば、1フレームにつき4761.6ｋ回ルックアップテーブルを参照しなければならない。
【０００７】本発明の目的は、前述した輝度の過不足を適切に補正し、動画質を改善する表示装置、表示装置を備えた画像再生装置及びその駆動方法を提供することである。」
　
（２）「【００１２】図2（ａ）は、表示装置１００の構成を示し、図２（ｂ）は表示装置１００に用いられる補正回路１０６の構成を示したものである。
【００１３】液晶モジュール１０７は、メディアから画像データを読出し、階調信号として出力する情報処理装置、例えばパーソナルコンピュータ、ＤＶＤプレーヤー、ＴＶ，ＶＴＲ等の外部デバイスと接続され、静止画を含む主として動画像を表示する。液晶モジュール１０７は、Ｒｅｄ（以下、Ｒ）、Ｇｒｅｅｎ（以下、Ｇ）、Ｂｌｕｅ（以下、Ｂ）の画素の階調信号１１１とフレームクロック、行クロック、画素クロックを含む同期信号１１０等の表示データを伝送するインタフェースにて外部デバイスと接続される。そして、液晶モジュール１０７は、入力部１０１から入力される表示データから少なくとも１フレーム分の階調信号を保持するフレーム保持部１０２と、１フレーム前の階調データと現在の階調データとを入力し、フレーム間の信号変化による輝度の過不足を補正する時間軸補正信号生成部１０３と、入力部１０１により入力された現在のフレームの階調信号に時間軸補正信号生成部１０３にて生成された補正信号を加減算する加減算部１０４とを有する補正回路１０６と、行クロックに従って行電極を順次スキャンするスキャンドライバ１０８と、画素クロックに従って階調信号を順次入力し、列データを一列分取り込み、その後一斉に一行分のデータを列電極に駆動電圧を印可するデータドライバ１０９と、行電極と列電極とでマトリックス状に画素を形成し、行方向に隣接するＲ，Ｇ，Ｂの３つの画素で一つのピクセルを構成する液晶表示部１０５とを有する。なお、時間軸補正信号生成部１０３においては、当然の事ながら、フレーム保持部に保持された1フレーム前の入力階調信号と入力部１０１から入力される現フレームの入力階調信号との比較は、液晶表示部１０５において同一の画素において展開される入力信号同士を画素毎に比較することで、補正信号を生成するものである。
【００１４】図２では、入力部１０１より入力される階調信号は、R、G、Bの3入力存在するが、それぞれに対して同じ処理であるので、そのうちの1入力のみ示している。
【００１５】また、入力部101は、接続される外部デバイスがパーソナルコンピュータの場合、階調信号としてデジタル信号を入力するため、表示装置１００の補正回路１０７は入力階調信号を処理することができるが、ＤＶＤ、ＴＶ，ＶＴＲの場合、映像信号と同期信号が合成されてアナログで同時に送られているので、液晶モジュールの手前でそれらを分離して、Ａ／Ｄ変換をかけるＡ／Ｄ変換器を外部デバイスと、表示装置の間に接続する。Ａ／Ｄ変換器は、外部デバイス、或いは、表示装置の中に取り込んで構成することも可能である。なお、Ａ／Ｄ変換機は図示せず。外部デバイスから階調信号を受け取り、フレーム保持部102で少なくとも1フレーム分の階調信号を保持する。このフレーム保持部102で保持された階調信号lは、少なくとも1フレーム期間遅延され、次のフレームの階調信号l'と同時に時間軸補正信号生成部103に入力される。
【００１６】この時間軸補正信号生成部103は、階調信号l'とlとから、信号変化による輝度の過不足を適切に補正する補正信号Δliを生成する。この補正信号Δli は、図１の００６で示した液晶表示部１０５の応答遅延によって生じる輝度不足分、或いは図１の００７で示した液晶表示部１０５の応答遅延によって生じる輝度残余分（輝度過剰分）を補うためのものである。つまり、図４において、図１の００６に対応する１２４で表される輝度不足量を補うため、入力された階調信号の輝度ｂに対してより高い輝度を表示させる（以下、オーバーシュートさせる）目標輝度ｃとするよう補正信号Δli を生成する。一方、図４において、図１の００７に対応する１２６で表される輝度残余量（輝度過剰量）を補うため、入力された階調信号の輝度ａに対してより低い輝度を表示させる（以下、アンダーシュート）させる目標輝度ｄとするよう補正信号Δli を生成する。このように、時間軸補正信号生成部１０３によって、横軸を時間軸、縦軸を輝度とした場合に、輝度の不足分として表される１２４の積分値をオーバーシュートによる輝度の補正分１２５によって打ち消し、輝度の過剰分として表される１２６の積分値をアンダーシュートによる輝度の補正分１２７によって打ち消すよう補正信号Δli生成し、加減算部１０４において、この補正信号Δliを入力された階調信号l'に加減算し、補正された階調信号l''として、データドライバ１０９に出力する。
【００１７】これにより、入力した階調信号本来の持つコントラストを再現することができる。特に動画の表示においては、人の目に階調信号本来の鮮明画像を表示することができる。」
　
（３）「【０１０５】（実施例7）図22は一般的な液晶モジュールの主な各構成部品を示す分解図である。図23に詳細に示すように、液晶表示パネルは、ガラス基盤上に、R(Red)、G(Green)、B(Blue)の画素電極がマトリクス状に配置され、書き込み電圧を印可する画素電極を選択すべく、走査ドライバからの選択電圧を伝送する走査信号線と、選択された画素電極に映像信号に応じたデータドライバからの書き込み電圧を伝送するデータ信号線と、対向電極に共通の電圧を伝送するコモン信号線が縦横に張り巡らされている。走査信号線とデータ信号線の交差部には薄膜トランジスタ(TFT)が配置されており、画素電極と対向電極に挟まれた液晶に駆動電圧を印可するか否かを制御することで、選択された画素に駆動電圧を印可し、液晶の透過率を変化させている。」
　
（４）「【０１１０】図25において、パーソナルコンピュータ等に搭載された、映像信号及びその同期信号を制御するグラフィックコントローラから出力される映像信号2501は、アナログもしくはデジタル信号、またデジタル信号の場合には、CMOS(Complementary Metal Oxide Semiconductor)もしくはLVDSインターフェースとして出力されるが、本実施例ではLVDSインターフェースを仮定して説明していく。
【０１１１】LVDSレシーバICである2403は、LVDSコネクタ2402から入力されるLVDS信号2501をCMOS信号2502へ変換し、タイミング制御ICである2404へ出力する。
【０１１２】タイミング制御ICである2404は、必要に応じてフレームメモリ2405にアクセスし、映像信号並びに、データドライバ、走査ドライバを制御する制御信号2503、2504をデータドライバ用コネクタ2406、走査ドライバ用コネクタ2407を介して、液晶パネルを駆動する各ドライバを制御している。
【０１１３】図26は本発明を実現するタイミング制御ICである2404内のデータ補正部機能ブロック図である。2601がそのデータ補正部であり、これは、図2(a)の106に相当する。2602に示すメモリ制御部、2603に示す補正データテーブル参照回路、2604に示す補完演算部から構成されている。また、2606はタイミング制御ICである2404の外部に搭載されているフレームメモリであるが、必要に応じてタイミング制御ICである2601内部に組み込むことも可能である。
【０１１４】次にデータ補正部の動作について説明する。データ補正部2601は、まず入力としてR、G、Bの階調信号とCLK、HSYNC、VSYNC等の同期信号（図示せず）を受け取り、メモリ制御部2602を介しフレームメモリ2606へアクセスすることで、1フレーム分映像信号を遅延させる。メモリ制御部2602はフレームメモリ2606のメモリアクセス機能を活用し、データ及びアドレスバス2609、リード／ライト及びアクセス制御バス（図示せず）を介してリード／ライトを効果的に行い、補正データテーブル参照回路2603及び補完演算部2604に現在のフレームデータ2611と1フレーム期間の遅延データ2612を同じタイミングで出力する。
【０１１５】補正データテーブル参照回路2603は、補正データテーブルを所持しており、現フレームのデータ2611と1フレーム前のデータ2612から、後段の補完演算部2604にて必要な補正テーブルデータ群2613を取得し、補完演算部2604により、現フレームデータ2611、前フレームデータ2612の値から補完してデータを補正する。補正されたデータ2614は、各ドライバ制御用にタイミングが変換され、各ドライバへ出力される。」
　
（５）「【０１１６】図27は補正データテーブル参照回路2603に登録された補正データの1例を示している。この場合、登録データは8ビットデータを仮定しており、テーブルの行方向に示した9サンプルの変化前の階調データと、テーブルの列方向に示した9サンプルの変化後の階調データから決定される9×9のマトリクスを構成している。
【０１１７】また図28は、補正データテーブル参照回路2603から取得する補正テーブルデータ群と、その補正テーブルデータ群を元に補完演算部2604にて行う補完演算方法の1例を示す図である。図28(a)は、変化前階調データLSが、LSより小さく最も近い階調サンプルデータTLSi 、またLSより大きく最も近い階調サンプルデータTLSi+1と、変化後階調データLEが、LE より小さく最も近い階調サンプルデータTLEj、またLE より大きく最も近い階調サンプルデータTLEj+1で表される数１３を満たす場合、すなわち斜線領域Aの内部に位置する場合の補完方法を、同様に図(b)は、数１３を満たさない場合、すなわち斜線領域Bの内部に位置する場合の補完方法を説明する図である。
【０１１８】【数１３】
　　(TLEj+1-TLEj)(LS-TLSi)+(TLSi+1-TLSi)(LE-TLEj+1)≦0
【０１１９】図(a)の場合、補完された補正データDLは、階調サンプルデータTLSi 、TLEjにおける補正テーブルデータTDLi,j  、階調サンプルデータTLSi+1 、TLEj における補正テーブルデータTDLi+1,j、階調サンプルデータTLSi 、TLEj+1 における補正テーブルデータTDLi,j+1を用いて数１４で表され、
【０１２０】【数１４】
　　DL=TDLi,j+(TDLi+1,j-TDLi,j)(LS-TLSi)/(TLSi+1-TLSi)
　　　　　　　　+(TDLi,j+1-TDLi,j)(LE-TLEj)/(TLEj+1-TLEj)
【０１２１】また図(b)の場合、補完された補正データDLは、前記TDLi+1,j、TDLi,j+1、階調サンプルデータTLSi+1 、TLEj+1 における補正テーブルデータTDLi+1,j+1を用いて数１５で表される。
【０１２２】【数１５】
　　DL=TDLi+1,j+1-(TDLi+1,j+1-TDLi,j+1)(TLSi+1-LS)/(TLSi+1-TLSi)
　　　　　　　　-(TDLi+1,j+1-TDLi+1,j)(TLEj+1-LE)/(TLEj+1-TLEj)
【０１２３】数１４、数１５で示した補完関数は線形関数を用いているが、それに限定されるものではないことは言うまでもない。」（当審注：【数１３】ないし【数１５】は、式の内容が変更されない範囲で表記を変更した。）
　
（６）図面の図２７には、補正データテーブル参照回路2603に登録された補正データテーブルとして、縦軸を変化前の階調データとし、横軸を変化後の階調データとした２次元の補正データテーブルが描かれている。
　
（７）図面の図２８（ａ），（ｂ）から、変換前階調サンプル及び変化後階調サンプル（当審注：縦軸は、「変化前階調サンプル」の誤記である。）の組み合わせを頂点とする３個の頂点からなる領域に分割され、上記分割領域において補間演算を行っていることが読み取れる。
　
　そうすると、上記（５），（６）から、変化前の階調データ及び変化後の階調データの２つを軸とする局所座標系において、変化前階調データLSに近い変化前の階調サンプルデータTLSi,TLSi+1、及び、変化後階調データLEに近い変化後の階調サンプルデータTLEj,TLEj+1に対応するルックアップテーブルにおける補正テーブルデータ群（TDLi,j、TDLi+1,j、TDLi,j+1）または（TDLi+1,j+1、TDLi+1,j、TDLi,j+1）を用いて線形関数により補完して補正データDLを決定するものが読み取れる。
　したがって、上記摘記事項（１）ないし（７）からみて、引用例１には、次の発明（以下「引用発明」という。）が記載されているものと認められる。
　
　「補正データテーブルを備え、
　　補正データテーブルは複数の補正テーブルデータTDLi,jを格納するようになっており、各補正テーブルデータTDLi,jは、データドライバに出力され、データドライバは液晶表示パネルの選択された画素に駆動電圧を印加し、液晶の透過率を変化させるものであり、上記各補正テーブルデータTDLi,jは、変化前の階調サンプルデータと変化後の階調サンプルデータとを２つの軸とした補正データテーブルにおいて、一対の変化前の階調サンプルデータTLSi及び変化後の階調サンプルデータTLEjに対応し、
　更に、上記液晶表示パネルに印加されて上記液晶パネルを１フレーム前の階調から現在のフレームの階調に変化させるように補正テーブルデータTDLi,jを補完する補完演算部2604を備え、
　補完演算部2604は、変化前の階調データ及び変化後の階調データの２つを軸とする局所座標系において、変化前階調データLSに近い変化前の階調サンプルデータTLSi,TLSi+1、及び、変化後階調データLEに近い変化後の階調サンプルデータTLEj,TLEj+1を含むルックアップテーブル用い、線形関数を用いた補正テーブルデータ群TDLi,j、TDLi+1,j、TDLi,j+1またはTDLi+1,j+1、TDLi+1,j、TDLi,j+1の補完により補正データDLを決定するものであり、
　上記局所座標系で表される空間は、上記補正データテーブルに格納済みの変化前の階調サンプルデータ及び変化後の階調サンプルデータの組み合わせを頂点とする３個の頂点からなる領域に分割され、
　上記補完演算部2604は、上記分割領域において補完を行うことを特徴とする表示装置。」
　
第４　対比
　本願発明と引用発明とを対比する。 
１　引用発明の「補正データテーブル」及び「補正テーブルデータTDLi,j」は、本願発明の「ルックアップテーブル」及び「階調電圧値」に相当し、引用発明と本願発明は、ともに、「ルックアップテーブルが階調電圧値を格納するようになって」いる点で共通する。
２　引用発明において、「各補正テーブルデータTDLi,jは、データドライバに出力され、データドライバは液晶表示パネルの選択された画素に駆動電圧を印加し、液晶の透過率を変化させる」ことは、本願発明において、「各階調電圧値は、液晶ディスプレイに印加されて該液晶ディスプレイを前階調から後階調に変化させる」ことに相当する。
３　引用発明の「変化前の階調サンプルデータと変化後の階調サンプルデータとを２つの軸とした補正データテーブル」によって表される空間は、本願発明の「局所座標系で表される空間」に相当する。
４　引用発明の「液晶表示パネル」、「１フレーム前の階調」、「現在のフレームの階調」、「補完」、「補完演算部2604」、「線形関数を用いた補完」、「補正データDL」及び「表示装置」は、それぞれ、本願発明の「液晶ディスプレイ」、「現在表示されている前階調」、「所望の後階調」、「補間」、「印加階調値取得手段」、「一次式を使用した補間」、「印加階調値」及び「液晶表示装置」に相当する。
５　引用発明の「変化前階調データLSに近い変化前の階調サンプルデータTLSi,TLSi+1、及び、変化後階調データLEに近い変化後の階調サンプルデータTLEj,TLEj+1を含むルックアップテーブル用い」と、本願発明の「現在表示されている前階調値及び所望の後階調値に近い階調電圧値を含む少なくとも一つのルックアップテーブルにおけるメモリブロックを用い、」とは、ともに、「現在表示されている前階調値及び所望の後階調値に近い階調電圧値を含む少なくとも一つのルックアップテーブルを用い」る点で共通する。
５　引用発明の「変化前の階調データ及び変化後の階調データの２つを軸とする局所座標系」と、本願発明の「上記後階調・上記前階調・付加的条件の３つを軸とする局所座標系」とは、「上記後階調・上記前階調の２つを軸として含む局所座標系」である点で共通する。
６　引用発明の「上記局所座標系で表される空間は、上記補正データテーブルに格納済みの変化前の階調サンプルデータ及び変化後の階調サンプルデータの組み合わせを頂点とする３個の頂点からなる領域に分割され」と、本願発明の「上記局所座標系で表される空間は、上記ルックアップテーブルに格納済の後階調値、前階調値、および付加的条件値の組み合わせを頂点とする４個の頂点からなる領域に分割され」とは、「上記局所座標系で表される空間は、上記ルックアップテーブルに格納済の座標値の組み合わせを頂点とする局所座標系の座標軸の数より１大きい数の頂点からなる領域に分割され」ている点で共通する。
　
　そうすると、本願発明と引用発明とは、以下の一致点で一致し、以下の相違点１及び２で相違する。 
　
（一致点）
　「少なくとも一つのルックアップテーブルを備え、
　ルックアップテーブルは複数の階調電圧値を格納するようになっており、各階調電圧値は、液晶ディスプレイに印加されて該液晶ディスプレイを前階調から後階調に変化させるようになっており、上記各階調電圧値は、局所座標系で表される空間において一対の前階調値と後階調値に対応し、
　更に、上記液晶ディスプレイに印加されて上記液晶ディスプレイを現在表示されている前階調から所望の後階調に変化させるように階調電圧値を補間する印加階調値取得手段を備え、
　上記印加階調値取得手段は、上記後階調・上記前階調の２つを軸として含む局所座標系において、現在表示されている前階調値及び所望の後階調値に近い階調電圧値を含む少なくとも一つのルックアップテーブルを用い、１次式を使用した階調電圧値の補間により印加階調値を決定するものであり、
　上記局所座標系で表される空間は、上記ルックアップテーブルに格納済の座標値の組み合わせを頂点とする局所座標系の座標軸の数より１大きい数の頂点からなる領域に分割され、
　上記印加階調値取得手段は、上記分割領域において上記補間を行うことを特徴とする液晶表示装置。」 
　
（相違点１）
　本願発明の少なくとも一つのルックアップテーブルは、複数のメモリブロックを含み、少なくとも一つのルックアップテーブルにおけるメモリブロックを用い、印加階調値を決定するのに対し、引用発明は、ルックアップテーブルが複数のメモリブロックを含むものではない点。
　
（相違点２）
　本願発明の局所座標系が「上記後階調・上記前階調・付加的条件の３つを軸とする局所座標系」であって、３つを軸とする局所座標系において、一次式を使用した補間を行うものであり、上記局所座標系で表される空間は、上記ルックアップテーブルに格納済の後階調値、前階調値、および付加的条件値の組み合わせを頂点とする４個の頂点からなる領域に分割されて上記補間を行うのに対し、引用発明の局所座標系は、「変化前の階調データ及び変化後の階調データを２つの軸とする局所座標系」であって、２つを軸とする局所座標系において、線形関数による補間を行うものであり、上記局所座標系で表される空間は、上記補正データテーブルに格納済みの変化前の階調サンプルデータ及び変化後の階調サンプルデータの組み合わせを頂点とする３個の頂点からなる領域に分割されて補完を行う点。
　
第５　当審の判断
　そこで、上記相違点について検討する。
１　相違点１について
　例えば、特開２０００−１６５６９１号公報に「１回の補間演算には、三角柱補間を使う場合は、６個の格子点が、四面体を使う場合は、６個のうち４個が用いられる。そこで、色変換装置の演算速度を高めるためには、この６個の格子点データをメモリから同時に読み出す必要がある。これを実現するためには、同時に読み出される６個の格子点出力値を所定数にグループ分けした例えば６個の別々の色変換テーブルメモリ（Ｍ０〜Ｍ５）に予め格納しておけばよい。以上より、色変換テーブルメモリ１１４には、６つのメモリを設け、同時アクセスされる格子点どうしを別々のメモリへ配分する必要がある。そこで、図３を用いて７２９個の格子点データを色変換テーブルメモリ１１４のＭ０〜Ｍ５のどれに格納するのかを説明する。・・・次に各格子点にどのように色変換テーブルアドレスをふっていくのか、各格子点と色変換テーブルアドレスとの関係を図３の（Ａ）と（Ｂ）と（Ｃ）と（Ｄ）を用いて説明する。図３の（Ｂ）は、配置されたＭ０〜Ｍ２に対し、どのようにアドレスをふっていくのかを説明する図である。そのルールは、Ｂ軸を起点にＲ軸方向に３つづつ固まりを作り、この固まりに原点からＲ軸方向へ番号をつけていくというものである。この、Ｍ０，Ｍ１，Ｍ２の３つづつの固まりを以降単位ブロックと呼ぶ。Ｒ軸にそってアドレスの割り振りが終わったらＢ軸方向へ１つ移動する。本実施の形態では、ＲＧＢ軸をそれぞれ８等分するため、ＲＢ面１面には、単位ブロックは、２７個（＝９×９÷３）存在する。」（段落【００２２】−【００２６】）と記載され、また、特開平８−１３８０３０号公報に「これら格子点データＣ１１〜Ｃ１８は・・・あるいは同一内容のテーブルメモリを８個用意し、上記データを同時に読み出すようにしてもよい。」（段落【００３０】）と記載され、当該記載における同時に読み出されるようになされたＣ１１〜Ｃ１８の格子点データを格納しているメモリの組がメモリブロックとして把握されるから、ルックアップテーブルから補間に使用する複数のデータを読み出すにあたり、複数のデータを同時に読み出すときに、ルックアップテーブルを複数のメモリブロックを含むものとすることは、従来周知の技術（以下「周知技術Ａ」という。）である。
　そうすると、引用発明において、補完に用いる補正テーブルデータ群についても、補正データテーブルから複数のデータを同時に読み出すときに周知技術Ａを適用して、上記相違点１に係る本願発明の構成とすることに格別の困難性はない。
　
２　相違点２について
　例えば、特開平４−３１８５１６号公報に「このように、データ変換回路１３に予め今回の画像データと１フレーム遅れた画像データとを指定アドレスとする画像データのテーブルをモード信号の数だけ予め記憶設定しておき、液晶パネル８の検知温度に応じたモード信号によって画像データのテーブルを選択して、そのテーブル中の今回の画像データと１フレーム遅れた画像データを指定アドレスとするアドレス位置に書込まれている強調処理用の画像データを読出し、セグメント駆動回路７に出力させることにより、液晶パネル８の温度が変化しても、不自然な階調表示を行なうことなく、常に階調変化の応答速度を高めて急激に変化する画像にも迅速に追随させることができる。」（段落【００１８】）と記載され、特開平５−７５９５９号公報に「上記階調信号の変換を行うためにＲＯＭに前回のフレームと今回のフレームの値をテーブル化したＲＯＭテーブルを設け、ＲＯＭテーブルを参照して階調信号の変換を行いスピードアップを図るようにする。」（段落【００１５】）及び「また、温度によっても最適値は異なるので、温度に応じた複数のＲＯＭテーブルを用意するようにしてもよい。」（段落【００１７】）と記載されるごとく、液晶表示装置の応答速度が温度に依存することから、前階調値と後階調値と補正データを格納するルックアップテーブルを温度に応じて予め複数用意することは、従来周知である（以下、これを「周知技術Ｂ」という。）。そして、異なる温度に関しての２次元のルックアップテーブルを複数具備することによりルックアップテーブルのデータ構造が３次元となることも当業者にとって自明である。
　一方、３次元のルックアップテーブルを用いた補間について、例えば、特開２０００−１６５６９１号公報に「１１６は、セレクタであるテーブルデータ選択部であり、立体の補間方法に用いる複数の格子点または分割した立体の補間方法を用いる場合の複数の格子点、該当三角柱または四面体の頂点の格子点データを選択する。１１７は、テーブルデータ選択部１１６の出力である。１１８は、補間回路すなわち三角柱・四面体補間演算部でありリニアな線形補間を実行する。１１９は、色変換された色信号出力信号である。」（段落【００１６】）及び「図５に、１１８の三角柱・四面体補間演算部の内部ブロック図を示す。この演算器で、三角柱と四面体の双方の演算を１３０のＰＮＴＳＥＬ信号で切り替えて実行できる。乗算器ＭＵＬ１、ＭＵＬ２，ＭＵＬ３，ＭＵＬ４、ＭＵＬ５を５つを備えている。異なる格子点にかかわらず、効率的にこれらの乗算器を使って補間のベクトル演算を行う。それぞれの、乗算器の入力つまり披乗数と乗数を三角柱と四面体の場合ごと、つまり、ＰＲＩＳＭとＴＥＴＲＡのそれぞれについて表５に示す。・・・１０８の重み係数Ｗ１〜Ｗ５については、１０６の三角柱・四面体領域判定部によりそれぞれのＰＲＩＳＭ，ＴＥＴＲＡについて選択され供給される。６０１、６０２、６０３、６０４は、それぞれ乗算器ＭＵＬ１，ＭＵＬ２，ＭＵＬ３，ＭＵＬ４の披乗数であり、１１７の格子点データより表５のように選択される。ＡＤ１〜ＡＤ６は加算器、ＤＩ１〜ＤＩ５は減算器、６１１〜６１４はＰＲＩＳＭまたはＴＥＴＲＡによって表５にしたがって選択される選択器、６０５はＭＵＬ５の披乗数である。６０６は補間演算出力である。・・・四面体補間演算は、式３に従って行われる。・・・６０６＝６０１×Ｗ１＋６０２×Ｗ２＋６０３×Ｗ３＋６０４×Ｗ４（式３）」（段落【００３２】−【００３５】）と記載され、特開２００１−２６６１３６号公報に「図１２は３次元補間方法の説明図である。左から順に８点補間、６点補間、５点補間、４点補間の場合を示す。８点補間の場合、・・・単位立方体内の点（ｘ，ｙ，ｚ）の補間値ｐxyzは次式で表される。・・・ここで、ｐa、ｐb、ｐc、ｐd、ｐe、ｐf、ｐg、ｐhはそれぞれの点のＬＵＴ値である。・・・４点補間の場合、立方体を図に示すように６個に６分割した三角錐について補間を求める。この立体の頂点数は４点あるので、４回の乗算を行なう必要がある。このうち、入力データがｘ≧ｙ≧ｚの空間に存在した場合の三角錐についての補間値ｐｘｙｚは次式で表される。頂点の値は予め分かっているものとする。ｐxyz＝ｐa（１−ｘ）＋ｐb（ｘ−ｙ）＋ｐc（ｙ−ｚ）＋ｐgｚ（６）」（段落【０００７】−【０００８】）と記載されるごとく、３次元のルックアップテーブルで表される空間を４個の格子点からなる単位領域に分割して、１次式を使用した補間を行う技術は従来周知である（以下「周知技術Ｃ」という。）。
　そうすると、引用発明においても、周知技術Ｂのように液晶表示装置の温度に応じた複数のルックアップテーブルを用意することに格別の困難はなく、その場合、ルックアップテーブルのデータの構造が３次元となり、温度軸方向についてもルックアップテーブルに記憶されるデータが離散的となることが明らかであるから、引用発明において、２次元の補正データテーブルについて行っていた線形関数を用いた補完について、３次元のルックアップテーブルに拡張し、３次元のルックアップテーブルについて周知技術Ｃを用いた補間を行うことにより、上記相違点２に係る本願発明の構成とすることに、格別の困難性は認められない。
　
　そして、本願発明の奏する効果も、引用例１の記載事項及び周知事項ＡないしＣに基づいて当業者が予測可能な範囲内のものである。
　したがって、本願発明は、引用発明及び周知事項ＡないしＣに基づいて当業者が容易に発明をすることができたものである。
　
第６　むすび
　以上のとおりであるから、本願の請求項１に係る発明は特許法第２９条第２項の規定により特許を受けることができない。そして、請求項１に係る発明が特許を受けることができないものであるから、その余の請求項に係る発明について検討するまでもなく、本件出願は、当審で通知した上記拒絶の理由によって拒絶をすべきものである。
　
　よって、結論のとおり審決する。